【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
コンピュータが、ユーザによって入力された、所定の製品を設計する際に実行すべき１以上の設計項目を記憶部に格納するステップと、
コンピュータが、ユーザによって入力された１以上の判断基準パラメータの各々を、前記１以上の設計項目のいずれかと関連付けて前記記憶部に格納するステップと、
コンピュータが、ユーザによって入力された複数の設計要素パラメータの各々を、前記１以上の設計項目のいずれかと関連付けて前記記憶部に格納するステップと、
コンピュータが、ユーザによって入力された、前記複数の設計要素パラメータのうちの所定の１以上の設計要素パラメータから前記１以上の判断基準パラメータのうちの一を算出するための算出式を、当該一の判断基準パラメータと関連付けて前記記憶部に格納するステップと、
コンピュータが、前記１以上の設計項目のうち、前記算出式が関連付けられた判断基準パラメータが関連付けられた一の設計項目がユーザによって選択された場合、当該算出式に関連付けられた前記所定の１以上の設計要素パラメータのうち、ユーザによって設定されていない１以上の設計要素パラメータの設定をユーザに促すための情報を表示手段に表示させるステップと、
を有することを特徴とする設計支援方法。
【請求項２】
コンピュータが、前記ユーザによって設定されていない１以上の設計要素パラメータのうち、前記算出式が関連付けられた判断基準パラメータが関連付けられた一の設計項目以外の、ユーザによっていまだ実行されていない１以上の設計項目のいずれかに関連付けられた１以上の設計要素パラメータについて、前記記憶手段に予め格納された対応する所定の仮置き値を読み出して前記表示手段に表示させるステップ、
を更に有することを特徴とする請求項１記載の設計支援方法。
【請求項３】
コンピュータが、ユーザによって入力された、前記１以上の判断基準パラメータの各々に対する目標値を、当該各判断基準パラメータと関連付けて前記記憶部に格納するステップと、
コンピュータが、前記１以上の設計項目のうち、前記算出式が関連付けられた判断基準パラメータが関連付けられた一の設計項目がユーザによって選択された場合、当該算出式に関連付けられた前記所定の１以上の設計要素パラメータについてユーザにより設定された値及び／又は前記仮置き値を当該算出式に適用して当該算出式に関連付けられた判断基準パラメータを算出し、前記目標値のうち当該判断基準パラメータに関連付けられた一の目標値と共に前記表示手段に表示させるステップと、
を更に有することを特徴とする請求項１又は２記載の設計支援方法。
【請求項４】
コンピュータが、前記算出された判断基準パラメータと前記目標値との差が所定の範囲内にない場合、ユーザによる別の判断基準パラメータの設定作業の開始を禁止するステップ、
を更に有することを特徴とする請求項３記載の設計支援方法。
【請求項５】
コンピュータが、ユーザが前記１以上の判断基準パラメータのうちの一について前記目標値を入力設定しようとしているとき、前記記憶手段に格納蓄積された当該一の判断基準パラメータの過去の実績値を前記表示手段に表示させるステップ、
を更に有することを特徴とする請求項３又は４記載の設計支援方法。
【請求項６】
コンピュータによって実行されたときに、当該コンピュータに、請求項１乃至５のいずれか一項記載の設計支援方法を実行させることを特徴とするコンピュータプログラム。
【請求項７】
請求項６記載のコンピュータプログラムを記録したことを特徴とするコンピュータ読取可能記録媒体。
【手続補正２】
【補正対象書類名】明細書
【補正対象項目名】０００９
【補正方法】変更
【補正の内容】
【０００９】
上記目的を達成するための本発明の第一の態様は、（ａ）コンピュータが、ユーザによって入力された、所定の製品を設計する際に実行すべき１以上の設計項目を記憶部に格納するステップと、（ｂ）コンピュータが、ユーザによって入力された１以上の判断基準パラメータの各々を、上記１以上の設計項目のいずれかと関連付けて上記記憶部に格納するステップと、（ｃ）コンピュータが、ユーザによって入力された複数の設計要素パラメータの各々を、上記１以上の設計項目のいずれかと関連付けて上記記憶部に格納するステップと、（ｄ）コンピュータが、ユーザによって入力された、上記複数の設計要素パラメータのうちの所定の１以上の設計要素パラメータから上記１以上の判断基準パラメータのうちの一を算出するための算出式を、当該一の判断基準パラメータと関連付けて上記記憶部に格納するステップと、（ｅ）コンピュータが、上記１以上の設計項目のうち、上記算出式が関連付けられた判断基準パラメータが関連付けられた一の設計項目がユーザによって選択された場合、当該算出式に関連付けられた上記所定の１以上の設計要素パラメータのうち、ユーザによって設定されていない１以上の設計要素パラメータの設定をユーザに促すための情報を表示手段に表示させるステップと、を有する設計支援方法である。
上記第一の態様によれば、ユーザはある設計項目について設計作業を行うとき、どのような判断基準パラメータに基づいて設計すればよいかを容易に把握することができるとともに、当該判断基準パラメータを算出するためにはどのような設計要素パラメータを入力設定すればよいかも容易に把握することができるため、比較的経験の浅い若手設計者でも品質の良い設計を効率良く実行することができるようになる。
なお、上記第一の態様に係る設計支援方法は、（ｆ）コンピュータが、上記ユーザによって設定されていない１以上の設計要素パラメータのうち、上記算出式が関連付けられた判断基準パラメータが関連付けられた一の設計項目以外の、ユーザによっていまだ実行されていない１以上の設計項目のいずれかに関連付けられた１以上の設計要素パラメータについて、上記記憶手段に予め格納された対応する所定の仮置き値を読み出して上記表示手段に表示させるステップを更に有することが好ましい。
【手続補正３】
【補正対象書類名】明細書
【補正対象項目名】００１０
【補正方法】変更
【補正の内容】
【００１０】
上記目的を達成するための本発明の第二の態様は、上記第一の態様に係る設計支援方法が、更に、（ｇ）コンピュータが、ユーザによって入力された、上記１以上の判断基準パラメータの各々に対する目標値を、当該各判断基準パラメータと関連付けて上記記憶部に格納するステップと、（ｈ）コンピュータが、上記１以上の設計項目のうち、上記算出式が関連付けられた判断基準パラメータが関連付けられた一の設計項目がユーザによって選択された場合、当該算出式に関連付けられた上記所定の１以上の設計要素パラメータについてユーザにより設定された値及び／又は上記仮置き値を当該算出式に適用して当該算出式に関連付けられた判断基準パラメータを算出し、上記目標値のうち当該判断基準パラメータに関連付けられた一の目標値と共に上記表示手段に表示させるステップと、を更に有する設計支援方法である。
上記第二の態様によれば、ユーザは、判断基準パラメータと目標値の関係を見ながら、各設計要素パラメータの値を決定していくことができるため、ユーザ利便性を向上させることができる。
なお、上記第二の態様においては、上記設計支援方法が、更に、（ｉ）コンピュータが、上記算出された判断基準パラメータと上記目標値との差が所定の範囲内にない場合、ユーザによる別の判断基準パラメータの設定作業の開始を禁止するステップ、を有することが好ましい。
また、上記第二の態様においては、上記設計支援方法が、更に、（ｊ）コンピュータが、ユーザが上記１以上の判断基準パラメータのうちの一について上記目標値を入力設定しようとしているとき、上記記憶手段に格納蓄積された当該一の判断基準パラメータの過去の実績値を上記表示手段に表示させるステップ、を更に有することが好ましい。
【手続補正４】
【補正対象書類名】明細書
【補正対象項目名】００１１
【補正方法】変更
【補正の内容】
【００１１】
上記目的を達成するための本発明の第三の態様は、コンピュータによって実行されたときに、当該コンピュータに、上記第一又は第二の態様に係る設計支援方法を実行させるコンピュータプログラムである。
【手続補正５】
【補正対象書類名】明細書
【補正対象項目名】００１２
【補正方法】変更
【補正の内容】
【００１２】
上記目的を達成するための本発明の第四の態様は、上記第三の態様に係るコンピュータプログラムを記録したコンピュータ読取可能記録媒体である。